(57)【要約】      （修正有）【課題】着衣して作業を行う際に着る人の動きを阻害することを抑制して自然な着衣感を得ることが出来るとともに、デザイン性も有する、作業を行う際に最適な作業用の衣服を提供する。【解決手段】少なくとも、開閉自在となるように分離された左右一対の前身ごろ１１０ａ、１１０ｂと、後身ごろ１２０と、衣服上部において前身ごろと後身ごろとに接続する襟１３０と、前身ごろと後身ごろとに接続される左右一対の袖１４０と、からなる作業用の衣服１００であって、袖は、前袖部１４２ａ、１４２ｂと後袖部１４４ａ、１４４ｂとの一対に形成されるとともに、衣服は、衣服の左右脇下側において前身ごろと後身ごろとの間に介装するとともに左右の袖の脇下側において前袖部と後袖部との間に介装して袖を筒状に形成する部材であって、柔軟性を有する材質の素材からなる左右一対の帯状の緩衝伸縮部１５０ａ、１５０ｂを備えた。【選択図】図１
0003224898.tif 000002
【実用新案登録請求の範囲】
【請求項１】
少なくとも、開閉自在となるように分離された左右一対の前身ごろ(110a,110b)と、後身ごろ(120)と、衣服上部において前記前身ごろと前記後身ごろとに接続する襟(130)と、前記前身ごろと前記後身ごろとに接続される左右一対の袖(140a,140b)と、からなる作業用の衣服(100)において、
前記袖(140a,140b)は、前袖部(142a,142b)と後袖部(144a,144b)との一対に形成されるとともに、
前記衣服(100)は、衣服の左右脇下側において前記前身ごろ(110a,110b)と前記後身ごろ(120)との間に介装するとともに左右の前記袖(140a,140b)の脇下側において前記前袖部(142a,142b)と前記後袖部(144a,144b)との間に介装して袖を筒状に形成する部材であって、柔軟性を有する材質の素材からなる左右一対の帯状の緩衝伸縮部(150a,150b)を備えたことを特徴とする作業用の衣服。
【請求項２】
前記後袖部(144a,144b)は、前記襟(130)まで延伸して該襟に接続するとともに、前記前身ごろ(110a,110b)と前記後身ごろ(120)との間に介装することを特徴とする請求項１記載の作業用の衣服。
【請求項３】
少なくとも、開閉自在となるように分離された左右一対の前身ごろ(210a,210b)と、後身ごろ(220)と、前記前身ごろと前記後身ごろとを衣服上部で接続するヨーク(260)と、襟(230)と、前記前身ごろと前記後身ごろと前記ヨークに接続される左右一対の袖(240a,240b)と、からなる作業用の衣服(200)において、
前記衣服(200)は、衣服の左右脇下側において前記前身ごろ(210a,210b)と前記後身ごろ(220)との間に介装するとともに左右の前記袖(240a,240b)の脇下側において袖(240a,240b)を筒状に形成するための縫合辺の間に介装する部材であって、柔軟性を有する材質の素材からなる左右一対の帯状の緩衝伸縮部(250a,250b)を備えたことを特徴とする作業用の衣服。
【請求項４】
前記緩衝伸縮部(150a,150b,250a,250b)は、織物、編地またはニット素材からなることを特徴とする請求項１乃至請求項３記載の作業用の衣服。
【請求項５】
前記袖(140a,140b,240a,240b)は、端部にカフス(146a,146b,246a,246b)を有するとともに、前記前袖部(142a,142b,242a,242b)と後袖部(144a,144b,244a,244b)および緩衝伸縮部(150a,150b,250a,250b)が該カフスに接続固定されることを特徴とする請求項１乃至請求項４記載の作業用の衣服。
【考案の詳細な説明】
【技術分野】
【０００１】
本考案は、主に作業中に着るための衣服に関し、特に、着衣して作業を行う際に着る人の動きを阻害することなく、自然な着衣感を得ることが出来る、作業を行う際に最適な作業用の衣服に関する。
【背景技術】
【０００２】
従来より、作業を行う際に着るための作業用の衣服が存在しており、様々な機能を有する衣服が開発され、使用されている。特に、作業用の衣服は、その用途から、着る人の動きを極力阻害せず、動きやすさを確保するとともに、通気性などの他の機能も要求され、このような機能を有する作業用の衣服が多数開発されている。
【０００３】
作業用の衣服としては、例えば、特開２０００−１２９５１３号公報が存在する。ここでは、スマートなイメージを保つと同時に、作業者が作業服によるツッパリを感じることのない作業服に関する技術として、前身頃に縫い付けられる前袖部分と後身頃に縫い付けられる後袖部分とが別個に裁断された構成からなる作業服が開示されている。
【０００４】
この作業服は、前袖部分が、セットインスリーブの形式で前身頃に縫い付けられ、後袖部分が、後衿ぐりから脇の下へと延びるプリーツを介して後身頃に縫い付けられる構造からなる。この構造とすることにより、腕の拘束感をなくして作業効率の低下を防ぐことが可能になる旨が開示されている。
【０００５】
確かにこの技術によれば、作業者が作業服によるツッパリを感じることを防ぐことが可能になるとも考えられるが、プリーツ部分が嵩張る構成であるため、着衣感が不十分であるとともに、体を捻る等の動きなど様々な動作に対応しているとまでは言えないという問題点があった。
【０００６】
作業者が着る作業服は、着た者の動きを阻害することなく、自然な着衣感を得ること望ましい。また、同時にデザイン性も有するものであることが要求される。このような機能を備えた自然な着衣感を着る者に与える作業用の衣服の開発が待たれていた。
【先行技術文献】
【特許文献】
【０００７】
【特許文献１】特開２０００−１２９５１３号公報
【考案の開示】
【考案が解決しようとする課題】
【０００８】
本考案は、作業用として着るための衣服であって、着衣して作業を行う際に着る人の動きを阻害することを抑制して自然な着衣感を得ることが出来るとともに、デザイン性も有する、作業を行う際に最適な作業用の衣服を提供することを目的とする。
【課題を解決するための手段】
【０００９】
上記の目的を達成するために本考案に係る作業用の衣服は、少なくとも、開閉自在となるように分離された左右一対の前身ごろと、後身ごろと、衣服上部において前記前身ごろと前記後身ごろとに接続する襟と、前記前身ごろと前記後身ごろとに接続される左右一対の袖と、からなる作業用の衣服であって、前記袖は、前袖部と後袖部との一対に形成されるとともに、前記衣服は、衣服の左右脇下側において前記前身ごろと前記後身ごろとの間に介装するとともに左右の前記袖の脇下側において前記前袖部と前記後袖部との間に介装して袖を筒状に形成する部材であって、柔軟性を有する材質の素材からなる左右一対の帯状の緩衝伸縮部を備えた構成である。
【００１０】
また、前記後袖部は、前記襟まで延伸して該襟に接続するとともに、前記前身ごろと前記後身ごろとの間に介装する構成である。
【００１１】
また、本考案に係る作業用の衣服は、少なくとも、開閉自在となるように分離された左右一対の前身ごろと、後身ごろと、前記前身ごろと前記後身ごろとを衣服上部で接続するヨークと、襟と、前記前身ごろと前記後身ごろと前記ヨークに接続される左右一対の袖と、からなる作業用の衣服であって、前記衣服は、衣服の左右脇下側において前記前身ごろと前記後身ごろとの間に介装するとともに左右の前記袖の脇下側において袖を筒状に形成するための縫合辺の間に介装する部材であって、柔軟性を有する材質の素材からなる左右一対の帯状の緩衝伸縮部を備えた構成でもある。
【００１２】
また、前記緩衝伸縮部は、織物、編地またはニット素材からなる構成である。
更に、前記袖は、端部にカフスを有するとともに、前記前袖部と後袖部および緩衝伸縮部が該カフスに接続固定される構成である。
【考案の効果】
【００１３】
本考案は、上記詳述した通りの構成であるので、以下のような効果を奏する。
１．緩衝伸縮部を、衣服の左右脇下側と、前袖部と後袖部との間に介装する構成としたため、着る者が腕を上げたり、伸ばしたりしても、動作が阻害されることなく自由に動くことが可能となる。
２．後袖部を、襟まで延伸して接続し、同時に前身ごろと後身ごろとの間に介装する構成としたため、背中が突っ張るような動作を繰り返しても破れることのない、耐久性の高い作業服を提供することが可能となる。
【００１４】
３．緩衝伸縮部を、衣服の左右脇下側における前身ごろと後身ごろとの間と、左右の袖の脇下側における縫合辺の間に介装する構成としたため、着る者が腕を上げたり、伸ばしたりしても、動作が阻害されることなく自由に動くことが可能となる。
４．緩衝伸縮部が、織物、編地、ニット素材等からなる構成としたため、十分な柔軟性と耐久性を確保することが可能となる。
５．カフスに緩衝伸縮部を接続する構成としたため、袖部分の強度を確保することが出来るとともに、袖全体に渡って自由な動きを阻害しない構成とすることが可能となる。
【考案を実施するための最良の形態】
【００１５】
以下、本考案に係る作業用の衣服を、図面に示す実施例に基づいて詳細に説明する。図１は、本考案に係る作業用の衣服の正面図および背面図であり、図２は、ブルゾンタイプの作業用の衣服の正面図および背面図である。図３は、ヨークを設けた作業用の衣服の正面図および背面図であり、図４は、半袖タイプの作業用の衣服の正面図および背面図である。
【００１６】
本考案の作業用の衣服１００は、図１および図２に示すように、少なくとも、前身ごろ１１０ａ・１１０ｂと、後身ごろ１２０と、襟１３０と、袖１４０と、からなり、緩衝伸縮部１５０ａ・１５０ｂを備えることで、作業を行う際に動きを阻害することなく、自然な着衣感を得ることが出来る作業用の衣服である。
【００１７】
作業用の衣服１００は、例えば図１に示すように、シャツタイプに形成することが可能であり、また、図２に示すように、ブルゾンタイプに形成することが可能である。また、前身ごろ１１０ａ・１１０ｂと、後身ごろ１２０と、襟１３０と、袖１４０の材質は、綿、化学繊維、麻、ナイロンなど、あらゆる材質のものを使用することが可能であり、またパーツごとに材質を変えることも可能であるが、作業に用いられる衣服であるため、強度の高い材質を選択して使用することが望ましい。
【００１８】
前身ごろ１１０ａ・１１０ｂは、衣服の前部を形成する部材であり、本実施例では被服の前部分が開閉自在となるように分離された左右一対からなり、全部中央部分で該一対の前身ごろをボタンまたはファスナー等で留める構成である。なお、前身ごろは左右一対とすることなく、一の部材で形成し、前部が開かないトレーナーのような構成とすることも可能である。
【００１９】
後身ごろ１２０は、衣服の背部を形成する部材であり、襟１３０に直接接続される構成である。本実施例では、図１および図２に示すように、後身ごろ１２０は、前身ごろ１１０ａ・１１０ｂと直接接続されることはなく、後袖部１４４ａ・１４４ｂや緩衝伸縮部１５０ａ・１５０ｂを介して接続される構成となっている。
【００２０】
襟１３０は、衣服の首部分を形成する部材であり、図１および図２に示すように、衣服上部において、前身ごろ１１０ａ・１１０ｂと後身ごろ１２０とに接続して固定される。本実施例では、襟１３０は、レギュラーカラーからなるが、これに限定されることはなく、ボタンダウンや、スタンドタイプなど、あらゆる形状を選択して使用することが可能である。
【００２１】
袖１４０ａ・１４０ｂは、衣服の左右の腕部分を形成する部材であり、図１および図２に示すように、衣服の左右上部において、左右一対の袖が前身ごろ１１０ａ・１１０ｂと後身ごろ１２０とに接続される構成である。なお、本実施例では、袖１４０ａ・１４０ｂは、手首部分まで延伸する長さからなる構成であるが、これに限定されることはなく、図４に示すように、半袖や七分丈で構成することももちろん可能である。
【００２２】
作業用の衣服１００は、図１および図２に示すように、緩衝伸縮部１５０ａ・１５０ｂを備えた構成である。緩衝伸縮部１５０ａ・１５０ｂは、柔軟性を有する材質の素材からなる左右一対の長尺からなる帯状の部材であり、これが上下左右に伸縮したり、斜めによれたりすることにより、衣服１００の形状を保ったまま腕や腰を動かすことを可能とし、作業を行う際に着る者の動きを阻害することを防止するための部材である。
【００２３】
緩衝伸縮部１５０ａ・１５０ｂは、本実施例では、図１および図２に示すように、衣服１００の左右脇下側において、前身ごろ１１０ａ・１１０ｂと後身ごろ１２０との間に介装されて、前身ごろ１１０ａ・１１０ｂと後身ごろ１２０を側面部分において接続する。さらに、前身ごろ１１０ａ・１１０ｂと後身ごろ１２０とに接続された左右の袖１４０ａ・１４０ｂの脇下側において、前袖部１４２ａ・１４２ｂと後袖部１４４ａ・１４４ｂとの間に介装して袖を筒状に形成する。
【００２４】
この構成とすることにより、この衣服１００を着る者が、腕を上げたり、伸ばしたり、腰を回したりしても、動作が阻害されることなく自由に動くことが可能となるとともに、不自然な衣服のよれが生じにくくなり、作業を行う際に、最適な、柔軟性、デザイン性、強度を兼ね備えた作業用の衣服を提供することが可能となった。
【００２５】
後袖部１４４ａ・１４４ｂは、本実施例では、図１および図２に示すように、襟１３０まで延伸して襟１３０に直接接続する構成となっている。また、後袖部１４４ａ・１４４ｂが襟１３０に接続した状態で、前身ごろ１１０ａ・１１０ｂと後身ごろ１２０との間に介装されて、前身ごろ１１０ａ・１１０ｂと後身ごろ１２０とを接続する構成である。この構成とすることにより、衣服１００を着る者が、背中を丸めて両袖の根本部分が突っ張るような動作を繰り返したとしても、その部分が負荷によって破れることのない、耐久性の高い作業服を提供することが可能となった。
【００２６】
他の実施例として、本考案の作業用の衣服２００は、図３に示すように、少なくとも、前身ごろ２１０ａ・２１０ｂと、後身ごろ２２０と、襟２３０と、袖２４０と、緩衝伸縮部２５０ａ・２５０ｂと、ヨーク２６０と、からなる構成とすることが可能である。
【００２７】
前身ごろ２１０ａ・２１０ｂは、衣服の前部を形成する部材であり、本実施例では被服の前部分が開閉自在となるように分離された左右一対からなり、全部中央部分で該一対の前身ごろ２１０ａ・２１０ｂをボタンまたはファスナー等で留める構成である。なお、前身ごろ２１０ａ・２１０ｂは左右一対とすることなく、一の部材で形成し、前部が開かないトレーナーのような構成とすることも可能である。
【００２８】
後身ごろ２２０は、衣服の背部を形成する部材であり、ヨーク２６０に接続される構成である。本実施例では、図３に示すように、後身ごろ２２０は、前身ごろ２１０ａ・２１０ｂと直接接続されることはなく、ヨーク２６０と緩衝伸縮部２５０ａ・２５０ｂを介して接続される構成となっている。
【００２９】
ヨーク２６０は、衣服の背部の首近傍を形成する部材であり、前身ごろ２１０ａ・２１０ｂと後身ごろ２２０とを衣服上部で接続した上で、前身ごろ２１０ａ・２１０ｂとともに襟２３０に接続される構成である。
【００３０】
襟２３０は、衣服の首部分を形成する部材であり、図３に示すように、衣服上部において、前身ごろ２１０ａ・２１０ｂとヨーク２６０とに接続して固定される。本実施例では、襟２３０は、レギュラーカラーからなるが、これに限定されることはなく、ボタンダウンや、スタンドタイプなど、あらゆる形状を選択して使用することが可能である。
【００３１】
袖２４０ａ・２４０ｂは、衣服の左右の腕部分を形成する部材であり、図３に示すように、衣服の左右上部において、左右一対の袖が前身ごろ２１０ａ・２１０ｂとヨーク２６０とに接続される構成である。袖２４０ａ・２４０ｂは、部分的に後身ごろ２２０に接続されてもよい。なお、本実施例では、袖２４０ａ・２４０ｂは、手首部分まで延伸する長さからなる構成であるが、これに限定されることはなく、七分丈や半袖で構成することももちろん可能である。
【００３２】
作業用の衣服２００は、図３に示すように、緩衝伸縮部２５０ａ・２５０ｂを備えた構成である。緩衝伸縮部２５０ａ・２５０ｂは、柔軟性を有する材質の素材からなる左右一対の長尺からなる帯状の部材であり、これが上下左右に伸縮したり、斜めによれたりすることにより、衣服２００の形状を保ったまま腕や腰を動かすことを可能とし、作業を行う際に着る者の動きを阻害することを防止するための部材である。
【００３３】
緩衝伸縮部２５０ａ・２５０ｂは、本実施例では、図３に示すように、衣服２００の左右脇下側において、前身ごろ２１０ａ・２１０ｂと後身ごろ２２０との間に介装されて、前身ごろ２１０ａ・２１０ｂと後身ごろ２２０を側面部分において接続する。さらに、前身ごろ２１０ａ・２１０ｂと後身ごろ２２０とに接続された左右の袖２４０ａ・２４０ｂの脇下側において、前袖部２４２ａ・２４２ｂと後袖部２４４ａ・２４４ｂとの間、すなわち、これらの縫合辺の間に介装して袖を筒状に形成する。
【００３４】
この構成とすることにより、この衣服２００を着る者が、腕を上げたり、伸ばしたり、腰を回したりしても、動作が阻害されることなく自由に動くことが可能となるとともに、不自然な衣服のよれが生じにくくなり、作業を行う際に、最適な、柔軟性、デザイン性、強度を兼ね備えた作業用の衣服を提供することが可能となった。
【００３５】
緩衝伸縮部１５０ａ・１５０ｂ・２５０ａ・２５０ｂは、本実施例では、織物、編地またはニット素材からなる構成である。この構成とすることにより、着る者が激しい動きを繰り返す場合であっても、衣服１００が十分な柔軟性と耐久性を確保することが可能となった。
【００３６】
袖１４０ａ・１４０ｂ・２４０ａ・２４０ｂは、本実施例では、図１乃至図３に示すように、端部にカフス１４６ａ・１４６ｂ・２４６ａ・２４６ｂを有する構成とすることが可能である。前袖部１４２ａ・１４２ｂ・２４２ａ・２４２ｂと後袖部１４４ａ・１４４ｂ・２４４ａ・２４４ｂ、および緩衝伸縮部１５０ａ・１５０ｂ・２５０ａ・２５０ｂは、カフス１４６ａ・１４６ｂ・２４６ａ・２４６ｂに接続固定される構成である。この構成とすることにより、袖１４０ａ・１４０ｂ・２４０ａ・２４０ｂ部分の強度を十分に確保することが可能になるとともに、袖１４０ａ・１４０ｂ・２４０ａ・２４０ｂ全体に渡って自由な動きを阻害しない構成とすることが可能となった。
【図面の簡単な説明】
【００３７】
【図１】本考案に係る作業用の衣服の正面図および背面図
【図２】ブルゾンタイプの作業用の衣服の正面図および背面図
【図３】ヨークを設けた作業用の衣服の正面図および背面図
【図４】半袖タイプの作業用の衣服の正面図および背面図
【符号の説明】
【００３８】
１００    作業用の衣服
１１０ａ・１１０ｂ    前身ごろ
１２０    後身ごろ
１３０    襟
１４０    袖
１４２ａ・１４２ｂ    前袖部
１４４ａ・１４４ｂ    後袖部
１４６ａ・１４６ｂ    カフス
１５０ａ・１５０ｂ    緩衝伸縮部
２００    衣服
２１０ａ・２１０ｂ    前身ごろ
２２０    後身ごろ
２３０    襟
２４０    袖
２４２ａ・２４２ｂ    前袖部
２４４ａ・２４４ｂ    後袖部
２４６ａ・２４６ｂ    カフス
２５０ａ・２５０ｂ    緩衝伸縮部
２６０    ヨーク
【図１】
0003224898.tif 000003
【図２】
0003224898.tif 000004
【図３】
0003224898.tif 000005
【図４】
0003224898.tif 000006